(57)【要約】【課題】  フィルター自動清掃機構付エアコンは統一した機構はなく、各社各様の構造となっている。当該機構はアルミフィン全体を覆う形状で構成されている。取外さないと、アルミフィンをきれいに洗浄できない、取外しには多大の働力を要する課題がある。  【解決手段】  上面解放形下部漏斗状の新規な洗浄カバーと当該洗浄カバーを短時間で装着できる治具、洗浄カバー保持具を考案した。前記の養生手段に加えて、細長い風船状のビニール樹脂製のエアークッションのアダプターを考案した。当該エアークションをアルミフィン面とフィルター自動清掃機構との隙間に挿入し、５０〜１００ｍｍ程度おそうじ機構を浮かせることにより、おそうじ機構を取りは外すことなく、エアコン室内機のアルミフィン及び送風ファン等を洗浄する装置である。【選択図】  図３
2019032147.tif 000002
【特許請求の範囲】
【請求項１】
室内機と室外機を分離して設置するフィルター自動清掃機構を備えた壁掛け型エアコンディショナの室内機の熱交換器アルミフィンと送風ファンを屋内に設置した状態で洗浄する洗浄装置において、上面解放形下部漏斗状、軟質防水性の洗浄カバーと、当該洗浄カバーを保持する治具と、細長形状のビニール製のエアークッションとでフィルター自動清掃機構の熱交換器アルミフィンの洗浄装置を形成し、当該エアークッションを熱交換器アルミフィンとフィルター自動清掃機構との間に挿入し、当該洗浄カバーを保持する治具に吊り下げることを特徴とするフィルター自動清掃機構付壁掛け型エアコンの洗浄カバー及び洗浄方法。
【発明の詳細な説明】
【技術分野】
【０００１】
本発明は室内機と室外機とに分離した壁掛け型エアーコンディショナー（以下、エアコンと略す）の室内機を洗浄するための洗浄カバー及び洗浄方法に関する。
【背景技術】
【０００２】
エアコンの熱交換機アルミフィン（以下、アルミフィンと略す）や送風ファンの洗浄は室内機の前面パネルを取り外して行われる。これらの洗浄についての特許を発明者らは、すでに登録（特許文献１）している。
【０００３】
以下、特許文献１の図１により背景技術を説明する。
図１の洗浄装置は室内機の全体を包み込む軟質防水性の洗浄カバー１と、排水ホース５により当該洗浄カバー１の下部１ｄに接続されて洗浄後の廃液を受ける廃液回収容器１２と、異なる洗浄液を貯える少なくとも2つの洗浄液容器１０，１１と、分岐水栓７及び洗浄ポンプ６を介して一つの洗浄液容器内の洗浄液を当該洗浄カバーの正面（以下、正面という）の洗浄ノズル３の挿入孔１ａを通して前記室内機に洗浄薬液を噴射する洗浄ノズル３と、制御回路８を介してポンプ及び分岐水栓を作動するコントローラ４を含み該コントローラ４は該ノズル３に備えられていることを特徴としている。
【０００４】
上記以外のエアコンの洗浄カバー及び洗浄方法に関するものは、特許文献２，特許文献３などが出願されている。いずれの特許も、洗浄カバーを使用してエアコン室内機の全体を包み込み、設置した状態で洗浄し、廃液を漏れることなく回収容器に回収することを特徴にしている。
【０００５】
特許文献２では、室内機全体を包み込む洗浄カバーを使用して、洗浄カバーの前面に設けた孔、当該孔に洗浄機ノズルを挿入して、アルミフィン及び送風ファンを洗浄、その廃液を洗浄カバー下部の排水ホースから回収する構成を特徴としている。
【０００６】
特許文献３では、エアコン室内機背面の筐体を利用して箱型の枠を組み付け、枠組みを利用してビニールシートで室内機全体を包み込むことを特徴にした洗浄カバー及び洗浄方法である。
【０００７】
いずれの特許も室内機全体を覆う、軟質防水性の洗浄カバーを考案して、室内機の前面からアルミフィンと送風ファンを洗浄する方法である。
【先行技術文献】
【特許文献】
【０００８】
【特許文献１】特許第3406038号  公報
【特許文献２】特開2005-098662号  公報
【特許文献３】特開2001-165463号  公報
【発明の概要】
【発明が解決しようとする課題】
【０００９】
住宅の多様化に伴う生活者のエアコン室内機へのコンパクト化の要請に沿って、エアコン室内機の外観及び内部のアルミフィン、送風ファン等の形状は、約２０年前から大きく変化してきている。
住宅の多様化に合わせて、どこにでも設置できるように、エアコン室内機はより小型化、コンパクトなデザインとなっている。
もう一つのエアコンの商品化の時流として、エアコンの消費電力を低減する省エネルギーの課題がある。
省エネルギーの課題を解決するには、アルミフィンの面積を大きくするあるいはアルミニウムより熱伝導率の良い材料で熱交換器を形成する方法がある。
コンパクト化と省エネルギーの相反する条件を満たしたエアコン室内機を商品化するために、エアコンメーカ各社が採用した手段は、次の２つである。
（１）コンパクト化を実現するために、エアコン室内機の高さは従来よりも約１００ｍｍ程度小さい形状となっている。従来の標準的な高さ３６０ｍｍ標準が、２６０ｍｍ程度の高さと小さくなっている。アルミフィンを山形に折り曲げて後方に１００ｍｍ程度を移動する形状の室内機。
（２）アルミフィンの隙間（ピッチ）を約５０％に狭めてアルミフィンの枚数を増加、アルミフィンの面積を大きくした室内機の採用で省エネルギー化を実現。
【００１０】
このようなコンパクト室内機の出現に伴い、副作用としてアルミフィンの汚れる速度が速くなり、カビ汚染も酷くなり、２〜3年周期で室内機を洗浄しないと使用できない室内機となっている。
これらの課題の対応策として、エアコンメーカ各社が１０余年前に考案、商品化したのがフィルター自動清掃機構を備えた壁掛け型エアコン（以下、おそうじ機構付エアコンと略す）である。
【００１１】
図２は、エアコンメーカ7社のカタログに掲載されている、おそうじ機構付エアコンのイメージ図である。２１がおそうじ機構部を示す。
エアコンの各メーカは、おそうじ機構付エアコンを生産しているが、統一された構造はなく各社各様の構造となっている。
おそうじ機構付エアコンは、図２に示すように各社共に当該機構部２１が室内機のアルミフィン前面を覆う形状で出来ているので、当該機構を取外さないとアルミフィンはきれいに洗浄できない課題がある。
しかし、取り外すには、おそうじ機構のフィルター駆動部あるいはゴミ吸い取り部のモーターへの配線が繋がっているコネクターを制御基盤（殆ど右側に設置されている）から抜き取る必要がある。
コネクターを外せても、数十本ある配線が本体に這わせてあるのでおそうじ機構を外すには、当該機構を分解する相応の訓練が必要である。
これらの分解、洗浄作業を行うには、おそうじ機構付のない従来機種に比べて、多大な働力と
分解に要する2〜3倍の時間が必要となっている課題がある。
また、制御基板は、右側に設置している場合がほとんどであるので、右側に壁がある場合は、
制御基板のボックス３３からコネクターを抜けない場合が多い。
結果として、最近のおそうじ機構付エアコンのクリーニングは、従来機種に比べて、2〜3倍の時間と費用がかかり、トラブルのリスクの高いエアコンクリーニング作業となっている課題がある。
【課題を解決するための手段】
【００１２】
本発明では、上記の課題を克服した形状の洗浄カバーを考案して、アルミフィンの前面と背面
（壁側の奥の面）の両面及び送風ファンを容易に洗浄できる新規な洗浄カバーを提供するにある。さらに、おそうじ機構を本体室内機から完全に取り外すことなく、本体のアルミフィンから    ５０〜１００ｍｍ程度おそうじ機構を浮かせるアダプターを考案、取り外してクリーニングしたのと同程度の洗浄力と同等程度の作業時間で洗浄を行う方法を提供するにある。
【００１３】
要点を説明すると、アルミフィンの背面を洗浄できるようにするためには、アルミフィンの上面から背面に向けて、洗浄ノズルを操作できる空間を設ける必要がある。
本発明では、特許文献１に示した密閉型の洗浄カバーは採用せず、下部を漏斗状、すなわち上面を開放形に設計する。さらに上面解放形下部漏斗状の洗浄カバーを短時間にセットできる洗浄カバーの保持具を新規に考案した。
【００１４】
おそうじ機構付エアコンを本体から取り外さないで、本体から浮かせるための治具として、細長い風船形のビニール樹脂製のエアークッションを考案、室内機本体アルミフィンとおそうじ機構の間にエアークッション挿入、５０〜１００ｍｍ程度の隙間を形成することにより従来と同様な洗浄が可能となる。
【発明の効果】
【００１５】
上記したように本発明では、上面解放形下部漏斗状の洗浄カバーを考案、加えて当該洗浄カバーを簡単に室内機に装着できる洗浄カバーの保持具を考案、さらにおそうじ機構を本体アルミフィンから浮かせるための治具として、細長形状のビニール製のエアークションを考案したことにより、従来と同等程度の作業時間及び洗浄能力で完了する洗浄方法となる効果がある。
【図面の簡単な説明】
【００１６】
【図１】従来技術を説明するために引用した特許文献１に示した図
【図２】エアコンメーカ７社のフィルター自動清掃機構付エアコンのイメージ図（カタログ掲載図）
【図３】本発明を説明するための構成図、斜視図
【図４】コンパクト型エアコンの室内機の断面図（アルミフィンが山形の形状）
【図５】従来型のエアコン室内機の断面図（アルミフィンが山形でない）
【図６】本発明の構成要素、洗浄カバーの保持具の斜視図
【図７】本発明の構成要素、洗浄カバーの斜視図（上面解放形下部漏斗状）
【図８】本発明のエアークションを挿入したおそうじ機構付エアコンの断面図
【発明を実施するための最良の形態】
【００１７】
本発明の実施の形態を図３〜図８に基づいて説明する。
図３において、おそうじ機構付エアコン３０は、エアコン本体の取り付け金具（表示していない）を介して壁Ｗに設置されている。図３は、パネルを外し、さらにおそうじ機構３４のフィルターも外し、洗浄機で洗浄できる状態の図面である。
おそうじ機構付エアコン３０には、洗浄カバーの保持治具４１が金板４２を介して設置され、金板４２はエアコン室内機の取付け金具と壁の狭い空間を利用して、当該空間に差し込む形体で固定されている。
保持具４１はロの字形状の四角を形成できるように、プラスチック製の管４本を蝶番で連結されている。支持棒４３は壁に突っ張るように設置し、正面への空間を確保するように作動する。
【００１８】
洗浄カバー４０は、設置した洗浄カバーの保持具４１にクリップ４４を利用して挟み、吊り下げる。
洗浄カバー４０には、排水ホース５が接続されている。当該排水ホース５を介して洗浄後の廃液をバケツ４５に回収する。
また洗浄カバー４０の正面には、ファンを洗浄するためのファスナー４６備え、ノズル３を挿入してファン３２を洗浄する。
【００１９】
図４と図５は、山形アルミフィン形体のコンパクト型エアコン室内機と従来のエアコン室内機を比較して示した断面図である。エアコンの高さＨ２がＨ１に比べて約１００ｍｍ程度小さくなっている。図４において、アルミフィンの形状を山形に折り曲げている。このような形体となっている。図４においては、空気の吸込みは、正面と天井面の２つの方向から吸い込む形状となっている。
【００２０】
図６は、洗浄カバーを吊り下げるための洗浄カバー保持具４１である。
当該保持具４１には、金板４２を装備、エアコンの取付金具（表示してない）と壁との隙間を利用して金板４２をエアコンの取付金具に差し込み保持具４１を室内機に固定する。
保持具４１は、ロの字型に４本の管で形成、コーナは蝶番４７で接続されている。
また、支持棒４３は、正面用の保持棒４８を壁から離して設置するための機構で、壁に突っ張って距離を確保している。このような形体の洗浄カバー保持具４１に、上面解放形下部漏斗状の洗浄カバー４０をクリップ４４で吊り下げる。なお保持具４１は、軽量化のため、プラスチックの管で形成している。
【００２１】
図７は、本発明の洗浄カバー４０の斜視図である。形状は、エアコン室内機全体よりも若干大きいサイズ、約横９００〜１１００ｍｍ、縦５００〜７００ｍｍ、奥行き４００〜５００ｍｍが好適、材料は軟質防水性ビニール樹脂で製作する。
正面にはファスナー４６を設置、底面には排水ホースの接続孔７３を設ける。側面７１には面ファスナー７２（オス）を貼り付けてあり、エアコン筐体の壁側の上部の枠を利用して細い帯状の面ファスナー（メス、図面にはない）を渡して吊るように固定する。
【００２２】
図8は、本発明の3つ目の考案、エアークションの使い方を説明する断図面である。
（５）
アルミフィン３１とおそうじ機構３４の間にエアークッション８１を挟み込み、５０〜１００  ｍｍ程度アルミフィン面から浮かせたものである。図２の２１及び図３に示すように、フィルターを外すと、おそうじ機構は洗浄機のノズルを挿入できる程度の隙間が確保でき、アルミフィンは見える状態にある。
５０〜１００ｍｍ程度浮かせる程度のビニール樹脂製のエアークッションをアルミフィンの左右端に設置する。モーターの配線を本体から外して、緩めれば、５０〜１００ｍｍ程度おそうじ機構を浮き上がらせるだけの配線の長さの余裕はある。各社の各機種の状況に対応して、エアークッションのふくらまし方を制御することにより、いずれの機種にも対応することがでる。
【００２３】
ノズルをおそうじ機構の隙間に挿入することができれば、従来と同等程度の洗浄力でエアコン室内機の汚れをきれに除去できる
また上面解放形下部漏斗状の洗浄カバー４０と本発明の洗浄カバーの保持具を組み合わせて使用することにより洗浄時に必要な養生作業を短時間で行うことができる。
上面解放形下部漏斗状の洗浄カバーの使用は、山形形状のアルミフィンの奥側（カベＷ側）も十分に洗浄することができる。
【符号の説明】
【００２４】
１    洗浄カバー
３    洗浄機のノズル
５    排水ホース
１２  廃液回収容器
３０  エアコン室内機
２１  おそうじ機構
３１  アルミフィン
３２  送風ファン
４０  本発明の上面解放形下部漏斗状の洗浄カバー
４１  本発明の洗浄カバーの保持具
４３  保持具を構成する支持棒
８１  本発明のエアークッション
【図１】
2019032147.tif 000003
【図２】
2019032147.tif 000004
【図３】
2019032147.tif 000005
【図４】
2019032147.tif 000006
【図５】
2019032147.tif 000007
【図６】
2019032147.tif 000008
【図７】
2019032147.tif 000009
【図８】
2019032147.tif 000010